【事件の表示】
　特願２０１２−１３４４２７「画像形成装置」拒絶査定不服審判事件〔平成２５年１２月２６日出願公開、特開２０１３−２５７４７９、請求項の数（４）〕について、次のとおり審決する。
【結　論】
　原査定を取り消す。
　本願の発明は、特許すべきものとする。
【理　由】
第１　手続の経緯 
　本願は、平成２４年６月１４日付けの特許出願であって、原審において平成２８年３月３日付けで拒絶理由通知がされた後、同年４月２７日付けで手続補正がされ、同年９月５日付けで拒絶査定（以下「原査定」という。原査定の謄本の送達（発送）日　同月１３日。）がされ、これに対して、同年１１月２９日に拒絶査定不服審判が請求されたものである。 
 　 
第２　原査定の概要
　原査定に係る拒絶理由の概要は、本願の請求項１ないし４に係る発明は、いずれも本願の出願前に頒布された刊行物である下記の引用文献１ないし６に記載された発明あるいは周知の技術的事項に基いて、当業者が容易に発明をすることができたものであるから、特許法第２９条第２項の規定により特許を受けることができないというものである。 
　
　　＜引用文献等一覧＞
１.特開２００６−２０１６３６号公報
２.特開平８−３２４８４３号公報（周知技術を示す文献）
３.特開２００１−１７１８９４号公報（周知技術を示す文献）
４.特開平１１−３０９３３号公報（周知技術を示す文献）
５.特開平１−２８８５３５号公報（周知技術を示す文献）
６.特開２００１−１６９０４６号公報
　
第３　本願の発明  
　本願の請求項１ないし４に係る発明（以下それぞれ「本願発明１」ないし「本願発明４」という。）は、平成２８年４月２７日付けの手続補正書で補正された特許請求の範囲の請求項１ないし４に記載された事項により特定される発明であり、本願発明１は次のとおりのものである。
　「【請求項１】 
　用紙搬送路内に供給された用紙を画像形成して外部に排出する画像形成装置であって、
　該画像形成装置に対する操作を受付ける操作部と、
　該操作部にてユーザに選択されることにより、前記用紙搬送路内に複数の用紙を存在させた状態で画像形成させる第１出力モード、あるいは前記用紙搬送路内に単一の用紙を存在させた状態で画像形成させる第２出力モードのいずれかのモードを設定するモード設定部と、
　該モード設定部の設定内容に基づいて前記用紙に画像形成する画像形成部とを備え、
　特定種類の用紙が選択された場合、前記モード設定部は、前記第２出力モードを設定することを特徴とする画像形成装置。」
　
　なお、本願発明２ないし４は、本願発明１を引用し、これを更に減縮した発明である。
　
第４　引用文献、引用発明等
１．引用文献１について
　原査定の拒絶の理由に引用された引用文献１（特開２００６−２０１６３６号公報）には、図面と共に次の事項が記載されている。
（以下の下線は、いずれも審決で付した。） 
　「【００３５】
  この
画像形成装置は
スキャナ部（原稿読み取り手段）３、用紙搬送部(給紙手段）５９、画像形成部１０および定着装置３０（印字手段）、および排紙処理部（排紙手段）６０から主になり
　「【００７９】
  図１に示すように、
画像形成装置
には
用紙種類（用紙寸法のほか、用紙の厚み等）、印刷枚数、倍率、濃度等の画像形成条件を設定する操作スイッチ類７６が配設されている
　「【００８７】
  
画像形成装置は、運転条件設定部７７が設けられる
この運転条件設定部７７は、操作スイッチ類７６によって使用者が設定した
画像形成要求または記録媒体の種類等の画像形成条件にしたがって、画像形成装置の画像形成、または搬送条件等の運転条件を設定する
【００８８】
  また、
画像形成装置は、設定された前記運転条件にしたがって、
原稿読み取り駆動部６４、記録用紙搬送駆動部６６、印字処理駆動部６８、定着駆動部７０および排紙駆動部７２
動作を駆動制御部６２の制御によって行う
　「【０１０３】
  また、本発明の第５の実施形態では、
複数の用紙に連続して画像形成する連続給紙モードと、一枚の用紙に画像形成するシングル給紙モードとを有しており
　また、上記段落【００８７】の「搬送条件等の運転条件」、及び上記段落【０１０３】の「複数の用紙に連続して画像形成する連続給紙モードと、一枚の用紙に画像形成するシングル給紙モードとを有しており」との記載から、上記連続給紙モード，及び上記シングル給紙モードは、（搬送条件等の）運転条件といえる。
　
　上記の記載事項を総合すると、引用文献１には、次の発明（以下、「引用発明１」という。）が記載されていると認められる。 
　「スキャナ部（原稿読み取り手段）３、用紙搬送部(給紙手段）５９、画像形成部１０および定着装置３０（印字手段）、および排紙処理部（排紙手段）６０を備える画像形成装置であって、
　画像形成装置には、用紙種類（用紙寸法のほか、用紙の厚み等）、印刷枚数、倍率、濃度等の画像形成条件を設定する操作スイッチ類７６が配設されると共に、操作スイッチ類７６によって使用者が設定した画像形成要求または記録媒体の種類等の画像形成条件にしたがって、画像形成装置の画像形成、または搬送条件等の運転条件を設定する運転条件設定部７７が設けられ、
　運転条件には、複数の用紙に連続して画像形成する連続給紙モードと、一枚の用紙に画像形成するシングル給紙モードとを有しており
　設定された前記運転条件にしたがって、原稿読み取り駆動部６４、記録用紙搬送駆動部６６、印字処理駆動部６８、定着駆動部７０および排紙駆動部７２の動作を駆動制御部６２の制御によって行う、画像形成装置。」 
 　 
２．引用文献２について 
　また、原査定の拒絶の理由に引用された引用文献２（特開平８−３２４８４３号公報）には次の事項が記載されている。
　「【０００１】
【産業上の利用分野】本発明は、レーザービームプリンタとか複写機等に用いられる
給紙装置を有する画像形成装置
　「【００２３】
【発明が解決しようとする課題】しかしながら、上記のように構成した従来の画像形成装置においては、ユーザが先にセットした用紙の搬送中に次の用紙をセットした場合、先の用紙が搬送途中であっても、次にセットされた用紙もまたシングル手差しユニット給紙ローラにより連続的に給紙されてしまい、
最初の用紙の後端と次の用紙の先端とが重複して搬送されてしまうことがあるという問題があった
【００２４】そのように、用紙長のカウントにおいて、まず先にセットされた用紙が搬送されゲートセンサに到達し、ゲートセンサのステートが変化してからその用紙長のカウントが開始されるが、最初の用紙の後端と次の用紙の先端とが重複して搬送されてしまうと、ゲートセンサは最初の用紙の後端を検知することができないため、次の用紙の後端まで連続して最初の用紙長としてカウントしてしまうことになる。そのため、計測カウンタ値が０になったときでも、ゲートセンサのステートが変化しないので、最初の用紙がまだ搬送中であると見做されることになる。その結果、給紙した最初の用紙はユーザが指定した用紙長より長いと決定され、用紙サイズエラーになるという問題があった。」
　「【００２８】
【作用】本発明による画像形成装置は、上記のように構成し、特に、用紙がシングル手差しユニットから給紙完了したことを表示する表示手段を設けて、シングル手差しユニットに次の用紙をセットする手差し給紙のタイミングをユーザに表示するようにしたことにより、手差し給紙のタイミングを明確にして１枚ずつ確実にシングル手差しユニットから給紙することを可能にする。」
　「【００４３】
【発明の効果】本発明による画像形成装置は、以上説明したように構成し、特に、
ゲートセンサを用紙が通過したか否か表示する表示手段を設けて、シングル手差しユニットにつぎの用紙をセットする手差し給紙のタイミングをユーザに表示するようにしたことにより、手差し給紙のタイミングを明確にして１枚ずつ確実にシングル手差しユニットから給紙する
 　 
　上記の記載事項を総合すると、引用文献２には、次の技術事項が記載されていると認められる。
　「給紙装置を有する画像形成装置において、最初の用紙の後端と次の用紙の先端とが重複して搬送されてしまうことがあるという問題を解決するために、ゲートセンサを用紙が通過したか否か表示する表示手段を設けて、シングル手差しユニットにつぎの用紙をセットする手差し給紙のタイミングをユーザに表示するようにしたことにより、手差し給紙のタイミングを明確にして１枚ずつ確実にシングル手差しユニットから給紙する。」 
　
３．引用文献３について 
　また、原査定の拒絶の理由に引用された引用文献３（特開２００１−１７１８９４号公報）には、次の事項が記載されている。 
　「【０００２】
【従来の技術】従来、例えばカラー原稿と白黒原稿のように複数種類の原稿が混在した１組の複数原稿を複写する場合、・・・カラー原稿はカラー複写装置で、白黒原稿は白黒複写装置でというように、別々に複写処理することが考えられる。」
　「【０００５】かかる問題を解消すべく、複数の複写機、例えば
カラー複写機と白黒複写機を備えると共に、インサータトレイを備え、
　「【０００７】
【発明が解決しようとする課題】しかしながら、上記インサータトレイを備えた画像形成装置では、インサータトレイからの給紙方法として、表紙モードや合成モード等の出力形態を指定するものは存在したが、インサータトレイにおけるインサート紙の積載態様は固定的であり、必ずしも最適な動作で処理を行えなかった。」
　「【０００９】本発明・・・の目的は、複数の給紙モードを任意に設定可能にして処理効率及び使い勝手を向上することができる画像形成装置及びその制御方法並びに記憶媒体を提供することにある。」
　「【００１０】
【課題を解決するための手段】上記目的を達成するために本発明の請求項１の
画像形成装置は、画像形成部で画像形成した記録紙間にインサート紙を挿入するように構成された画像形成装置
複数のインサータトレイに積載されたインサート紙を前記画像形成部をバイパスして給紙制御する給紙制御手段
給紙モードを複数種類設定可能な給紙モード設定手段
　「【００１２】同じ目的を達成するために本発明の請求項３の画像形成装置は、上記請求項１または２記載の構成において、前記
複数種類の給紙モードには
前記複数の各インサータトレイに同一種類のインサート紙のみが積載される第１給紙モードと、前記複数のインサータトレイの少なくとも１つに前記インサート紙が複数種類混合して積載される第２給紙モード
　「【００１９】同じ目的を達成するために本発明の請求項１０の画像形成装置は、上記請求項１〜９のいずれか１項に記載の構成において、前記
インサート紙に予め記載された給紙モードを示す所定の情報を読み取る所定情報読み取り手段を備え
　「【００２９】同じ目的を達成するために本発明の請求項２０の画像形成装置は、上記請求項１０〜１９のいずれか１項に記載の構成において、前記
所定情報読み取り手段により前記所定の情報の読み取りができなかった場合は
ユーザによるマニュアル設定により前記給紙モードを設定する
 　 
　したがって、上記引用文献３には、ユーザにより給紙モードを設定するという技術事項を含む次の発明が記載されていると認められる。
　「カラー複写機と白黒複写機を備えると共に、インサータトレイを備え、画像形成部で画像形成した記録紙間に、複数のインサータトレイに積載された複数種類のインサート紙を挿入するように構成された画像形成装置であって、
　複数のインサータトレイに積載されたインサート紙を前記画像形成部をバイパスして給紙制御する給紙制御手段と、前記複数の各インサータトレイに同一種類のインサート紙のみが積載される第１給紙モードと、前記複数のインサータトレイの少なくとも１つに前記インサート紙が複数種類混合して積載される第２給紙モードとを設定可能な給紙モード設定手段と、インサート紙に予め記載された給紙モードを示す所定の情報を読み取る所定情報読み取り手段とを備え、
　所定情報読み取り手段により前記所定の情報の読み取りができなかった場合は、前記給紙モード設定手段は、ユーザによるマニュアル設定により前記給紙モードを設定する、画像形成装置。」
 　 
４．引用文献４について
　また、原査定の拒絶の理由に引用された引用文献４（特開平１１−３０９３３号公報）には、図面と共に次の事項が記載されている。 
　「【０００４】
【発明が解決しようとする課題】前述した従来の画像形成装置の場合、装置側にコピー用紙の種類を知る術がない場合、どの給紙トレイにも厚紙を収容でき、このため折り返し給紙される給紙トレイから厚紙を給紙する場合、給紙部分に用紙が詰まりジャム発生の原因となっていた。
【０００５】本発明はこのような課題に鑑みてなされたものであって、
厚紙の給紙ジャムを防止
「【０００６】
【課題を解決するための手段】前記した課題を解決する本発明は、
複数の給紙経路を持つ画像形成装置において、操作部から指示される紙種モードに応じて前記給紙経路を選択する制御部を具備し、該制御部は前記操作部から厚紙モードが指示されると、水平搬送路を持つ手差しトレイを自動選択し、他の給紙トレイの選択を禁止する
　
　上記の記載事項を総合すると、引用文献４には、次の技術事項が記載されていると認められる。
　「操作部から指示される紙種モードに応じて給紙経路を選択する制御部を具備する複数の給紙経路を持つ画像形成装置において、前記操作部から厚紙モードが指示されると、水平搬送路を持つ手差しトレイを自動選択し、他の給紙トレイの選択を禁止することにより、厚紙の給紙ジャムを防止する。」
　
５．引用文献５について
　同じく原査定の拒絶の理由に引用された引用文献５（特開平１−２８８５３５号公報）には、次の事項が記載されている。
　「〔産業上の利用分野〕
　本発明は、
記録材
転写紙
の手差し給紙モードを有する画像形成装置
　「次に上述の本発明実施例のＣＰＵ５０１の実際の動作例について、第５図のフローチャートを参照して詳細に説明する。
　まず、電源投入された後、
手指しトレイ
の開放が検知されているか、否かをセンサ
により判定
手指しトレイ
の開放が検知された場合は
操作部のカセツトデツキ選択キー
の入力を禁止する
　又、ステップＳｌにおいて手指しトレイ２３の開放が検知されない場合は手指しモードを解除し表示部の手指し表示を消灯し（Ｓ４）、カセツトデツキ選択キーの入力１０９を許可する（Ｓ５）。このように手指しトレイ２３が開放されていることにより、自動的に手指しモードに設定され、カセツト１３、１４やデツキ５４からの給紙を禁止しているので、
手指し時に転写紙としてカセツトやデツキの用紙が誤って設定されることがなく、誤動作
や、その誤動作に伴うロスタイムが生ずることが防止
　
　上記の記載事項を総合すると、引用文献５には、次の技術事項が記載されていると認められる。
　「記録材（転写紙）の手差し給紙モードを有する画像形成装置において、手指しトレイの開放が検知されているか、否かをセンサにより判定し、手指しトレイの開放が検知された場合は、操作部のカセツトデツキ選択キーの入力を禁止することにより、手指し時に転写紙としてカセツトやデツキの用紙が誤って設定される誤動作や、その誤動作に伴うロスタイムが生ずることを防止する。」
　
６．引用文献６について
　同じく原査定の拒絶の理由に引用された引用文献６（特開２００１−１６９０４６号公報）には、次の事項が記載されている。
　「【０００６】本発明の目的は、ファクシミリ印刷出力が分断されるのを防止し、一連のファクシミリ情報を受取人へ確実に伝達できる
ファクシミリ装置
　「【０００８】本発明に従えば、
受信したデータはデータ記憶部でいったん保存して、この受信データの印刷に必要な用紙枚数Ｎｄを算出し、用紙残量Ｎｒと比較する。必要枚数Ｎｄが用紙残量Ｎｒ以下のときは、
印刷を実行する。一方、必要枚数Ｎｄが用紙残量Ｎｒより多いときは、印刷を実行せずに
データ記憶部でのデータ保存を続行する
ファクシミリ印刷出力が分断してしまうのを防止できる。
　「【００６２】図３および図４は、夜間受信モードの動作を示すフローチャートである。・・・
【００６５】ステップｓ３では、メインＣＰＵ４０１は残量センサ５８の検出信号を参照して
カセット給紙装置５１の用紙残量Ｎｒが充分であるか否かを所定値Ｎｃとの比較によって判定する。この判定では用紙残量Ｎｒを大まかに推定するもの
【００６７】ステップｓ３で
カセット給紙装置５１の用紙残量Ｎｒが
所定値Ｎｃ以下である（Ｎｒ≦Ｎｃ）場合は
電子写真プロセス部４７の動作を停止させた状態で、カセット給紙装置５１に残った用紙を一枚ずつ給紙し
用紙センサ５９が用紙通過を検出することによって用紙残量Ｎｒを一枚単位で測定する
　
　したがって、上記引用文献６には、次の発明（以下、「引用発明６」という。）が記載されていると認められる。
　「受信したデータをデータ記憶部でいったん保存し、この受信データの印刷に必要な用紙枚数Ｎｄを算出して用紙残量Ｎｒと比較し、必要枚数Ｎｄが用紙残量Ｎｒ以下のときは印刷を実行し、一方、必要枚数Ｎｄが用紙残量Ｎｒより多いときは、印刷を実行せずに、データ記憶部でのデータ保存を続行して、ファクシミリ印刷出力が分断してしまうのを防止できるファクシミリ装置であって、
　カセット給紙装置５１の用紙残量Ｎｒが充分であるか否かを所定値Ｎｃとの比較によって判定をし、この判定では用紙残量Ｎｒを大まかに推定して、カセット給紙装置５１の用紙残量Ｎｒが所定値Ｎｃ以下である（Ｎｒ≦Ｎｃ）場合は、電子写真プロセス部４７の動作を停止させた状態で、カセット給紙装置５１に残った用紙を一枚ずつ給紙し、用紙センサ５９が用紙通過を検出することによって用紙残量Ｎｒを一枚単位で測定するファクシミリ装置。」
 　 
第５　対比・判断　
１．本願発明１について 
（１）対比 
　本願発明１と引用発明１とを対比する。 
　後者の「スキャナ部（原稿読み取り手段）３、用紙搬送部(給紙手段）５９、画像形成部１０および定着装置３０（印字手段）、および排紙処理部（排紙手段）６０を備える画像形成装置」は、その機能等からみて、前者の「用紙搬送路内に供給された用紙を画像形成して外部に排出する画像形成装置」に相当し、同様に、「画像形成条件を設定する操作スイッチ類７６」は「画像形成装置に対する操作を受付ける操作部」に相当する。
　また、後者において、「運転条件」である「複数の用紙に連続して画像形成する連続給紙モード」は、前者の「用紙搬送路内に複数の用紙を存在させた状態で画像形成させる第１出力モード」に、同じく「一枚の用紙に画像形成するシングル給紙モード」は、「用紙搬送路内に単一の用紙を存在させた状態で画像形成させる第２出力モード」に、それぞれ相当する。してみると、後者の「運転条件を設定する運転条件設定部７７」は、前者の「操作部にてユーザに選択されることにより、前記用紙搬送路内に複数の用紙を存在させた状態で画像形成させる第１出力モード、あるいは前記用紙搬送路内に単一の用紙を存在させた状態で画像形成させる第２出力モードのいずれかのモードを設定するモード設定部」に相当するといえる。
　更に、後者において「設定された前記運転条件にしたがって、原稿読み取り駆動部６４、記録用紙搬送駆動部６６、印字処理駆動部６８、定着駆動部７０および排紙駆動部７２の動作を駆動制御部６２の制御によって行う」としているところから、後者も前者の「モード設定部の設定内容に基づいて前記用紙に画像形成する画像形成部」に相当するものを備えているといえる。  　 
　したがって、両者は、  
　「用紙搬送路内に供給された用紙を画像形成して外部に排出する画像形成装置であって、
　該画像形成装置に対する操作を受付ける操作部と、
　該操作部にてユーザに選択されることにより、前記用紙搬送路内に複数の用紙を存在させた状態で画像形成させる第１出力モード、あるいは前記用紙搬送路内に単一の用紙を存在させた状態で画像形成させる第２出力モードのいずれかのモードを設定するモード設定部と、
　該モード設定部の設定内容に基づいて前記用紙に画像形成する画像形成部とを備える、画像形成装置。」  
 　の点で一致し、以下の点で相違している。 
 　 
　［相違点］　本願発明１では、「特定種類の用紙が選択された場合、モード設定部は、（用紙搬送路内に単一の用紙を存在させた状態で画像形成させる）第２出力モードを設定する」のに対し、引用発明１では、用紙の種類と出力モードとの関連について言及されていない点。
 　 
（２）相違点についての判断 
　上記の相違点について検討する。 
　引用文献２には、上記「第４　２．」のとおり、「給紙装置を有する画像形成装置において、最初の用紙の後端と次の用紙の先端とが重複して搬送されてしまうことがあるという問題を解決するために、ゲートセンサを用紙が通過したか否か表示する表示手段を設けて、シングル手差しユニットにつぎの用紙をセットする手差し給紙のタイミングをユーザに表示するようにしたことにより、手差し給紙のタイミングを明確にして１枚ずつ確実にシングル手差しユニットから給紙する」ことが示されている。
　しかしながら、引用文献２における「手差し給紙のタイミングを明確にして１枚ずつ確実にシングル手差しユニットから給紙する」ことを根拠として、用紙搬送路内に単一の用紙を存在させた状態で画像形成させるということはできないし、むしろ、「用紙搬送路内に複数の用紙を存在させた状態」で画像形成させることが想定されているとみるのが技術的に自然である。
　してみると、引用文献２を根拠として、「手差しユニットが選択された場合、用紙搬送路内に単一の用紙を存在させた状態で画像形成させるモードを設定する」ことが、周知技術ということはできない。
　また、引用文献３ないし５、及び引用発明６にも、上記相違点に係る本願発明１の発明特定事項は、記載や示唆されていない。
　なお、引用発明６において、「カセット給紙装置５１に残った用紙を一枚ずつ給紙」するのは、「用紙残量Ｎｒを一枚単位で測定する」ためであって、画像形成のために給紙しているわけではない。
　また、上記相違点に係る本願発明１の発明特定事項が、当業者にとって設計事項であるとする根拠もない。
　そして、本願発明１は、当該発明特定事項を備えることにより、「用紙の無駄使いの抑制と、装置の稼働率の向上との双方に対応し、特定種類の用紙の無駄使いを確実に抑制できる」という格別の作用効果を奏するものである（段落【００１３】参照。）。
　したがって、本願発明１は、引用発明１、６、及び引用文献２ないし５に記載された技術的事項に基づいて、当業者が容易に発明をすることができたものとはいえない。 
 　 
２．本願発明２ないし４について 
　本願発明２ないし４も、本願発明１の上記相違点に係る発明特定事項を備えるものであるから、本願発明１についてと同様の理由で、引用発明１、６、及び引用文献２ないし５に記載された技術的事項に基づいて、当業者が容易に発明をすることができたものとはいえない。　
　
第６　むすび 
　以上のとおり、本願発明１ないし４は、当業者が引用発明１、６、及び引用文献２ないし５に記載された技術的事項に基づいて容易に発明をすることができたものではない。
　したがって、原査定の理由によっては、本願を拒絶することはできない。
　また、他に本願を拒絶すべき理由を発見しない。 
　
　よって、結論のとおり審決する。